(57)【要約】【課題】本発明は、走行する製品フィルムに対し、マスキングフィルムを走行案内する貼り付けユニットを製品フィルム側に前進させ、マスキングフィルムを製品フィルムに貼り付けることを目的とする。【解決手段】本発明によるマスキングフィルムの貼付方法及び装置は、フィードロール(3)からのマスキングフィルム(2)を設けた貼り付けユニット(4)を走行する製品フィルム(10)に当接させ、マスキングフィルム(2)を製品フィルム(10)の一面又は両面に貼り付ける方法と構成である。【選択図】図１
2010111470.tif 000002
【特許請求の範囲】
【請求項１】
マスキングロール(12)を介して所定速度で走行する製品フィルム(10)の一面又は両面に対して、マスキングフィルム用送出機(1)から送り出されたマスキングフィルム(2)を貼り付けるようにしたマスキングフィルムの貼付方法において、
前記マスキングフィルム用送出機(1)からの前記マスキングフィルム(2)をフィードロール(3)を介して受けるための貼り付けユニット(4)と、前記貼り付けユニット(4)に設けられたしわ取りロール(5)及び貼り付けロール(6)と、を用い、
前記フィードロール(3)を経た前記マスキングフィルム(2)が前記貼り付けユニット(4)の前記しわ取りロール(5)を経て前記貼り付けロール(6)まで送られた状態で、前記フィードロール(3)を駆動して前記マスキングフィルム(2)を走行させ、前記貼り付けユニット(4)を前進させて前記マスキングフィルム(2)を前記製品フィルム(10)に貼り付け、二層状又は三層状をなす前記製品フィルム(10)とマスキングフィルム(2)が前記マスキングロール(12)を通過した時点で前記貼り付けロール(6)の前記マスキングフィルム(2)への当接状態を解除し、前記貼り付けユニット(4)により製品フィルム(10)にマスキングフィルム(2)を貼り付けつつ走行させることを特徴とするマスキングフィルムの貼付方法。
【請求項２】
前記マスキングフィルム(2)を停止状態から前記フィードロール(3)で増速させることを特徴とする請求項１記載のマスキングフィルムの貼付方法。
【請求項３】
前記マスキングフィルム(2)の送り速度が前記製品フィルム(10)の生産速度付近に到達した時点で、前記貼り付けロール(6)により前記マスキングフィルム(2)を前記製品フィルム(10)に貼り付けることを特徴とする請求項１又は２記載のマスキングフィルムの貼付方法。
【請求項４】
前記マスキングフィルム(2)が前記マスキングロール(12)を通過した時点で前記フィードロール(3)の送り速度を調整して前記マスキングフィルム(2)の張力を制御し、前記マスキングフィルム(2)のたるみを除去することを特徴とする請求項１ないし３の何れかに記載のマスキングフィルムの貼付方法。
【請求項５】
マスキングロール(12)を介して所定速度で走行する製品フィルム(10)の一面又は両面に対して、マスキングフィルム用送出機(1)から送り出されたマスキングフィルム(2)を貼り付けるようにしたマスキングフィルムの貼付装置において、
前記マスキングフィルム用送出機(1)からの前記マスキングフィルム(2)をフィードロール(3)を介して受けるための貼り付けユニット(4)と、前記貼り付けユニット(4)に設けられたしわ取りロール(5)及び貼り付けロール(6)と、を備え、
前記フィードロール(3)を経た前記マスキングフィルム(3)が前記貼り付けユニット(4)の前記しわ取りロール(5)を経て前記貼り付けロール(6)まで送られた状態で、前記フィードロール(3)を駆動して前記マスキングフィルム(2)を走行させ、前記貼り付けユニット(4)を前進させて前記マスキングフィルム(2)を前記製品フィルム(10)に貼り付け、二層状又は三層状をなす前記製品フィルム(10)とマスキングフィルム(2)が前記マスキングロール(12)を通過した時点で前記貼り付けロール(6)の前記マスキングフィルム(2)への当接状態を解除し、前記貼り付けユニット(4)により製品フィルム(10)にマスキングフィルム(2)を貼り付けつつ走行させることを特徴とするマスキングフィルムの貼付装置。
【発明の詳細な説明】
【技術分野】
【０００１】
本発明は、マスキングフィルムの貼付方法及び装置に関し、特に、走行する製品フィルムに対し、マスキングフィルムを走行案内する貼り付けユニットを製品フィルム側に前進させ、この貼り付けユニットを介して前記マスキングフィルムを製品フィルムに貼り付けるための新規な改良に関する。
【背景技術】
【０００２】
従来、用いられていたこの種のマスキングフィルムの貼付方法及び装置としては、特に特許出願等をしていないため、特許文献としては示していないが、マスキングフィルム自体を自動で貼り合わせる装置は従来より採用されていた。しかし、製品に最初に貼り合わせる場合、一旦設備全体を減速して、手作業で貼り付けたり、上流側にアキュームレータを設置することにより減速あるいは停止させて貼り合わせていた。
【発明の開示】
【発明が解決しようとする課題】
【０００３】
従来のマスキングフィルムの貼付方法及び装置は、以上のように構成されていたため、次のような課題が存在していた。
すなわち、従来装置では、基本的に設備上流側でフィルムが生産されている状態であり、設備自体を減速、あるいは停止させる場合には、極力短時間に抑えることが必要である。
このため、マスキングフィルムの貼り付け作業もすばやく、確実に行う必要があるが、貼り付け装置はピンチロール周辺であることから、極めて狭いエリアでの困難な作業となる。したがって、熟練を要する作業であり、また危険を伴う作業となるケースもあった。また、マスキングフィルムは停止状態からの立上げとなるため、条件によってはロール駆動モータの過負荷による停止や、マスキングフィルムの破断につながることもあった。
【課題を解決するための手段】
【０００４】
本発明によるマスキングフィルムの貼付方法は、マスキングロールを介して所定速度で走行する製品フィルムの一面又は両面に対して、マスキングフィルム用送出機から送り出されたマスキングフィルムを貼り付けるようにしたマスキングフィルムの貼付方法において、前記マスキングフィルム用送出機からの前記マスキングフィルムをフィードロールを介して受けるための貼り付けユニットと、前記貼り付けユニットに設けられたしわ取りロール及び貼り付けロールと、を用い、前記フィードロールを経た前記マスキングフィルムが前記貼り付けユニットの前記しわ取りロールを経て前記貼り付けロールまで送られた状態で、前記フィードロールを駆動して前記マスキングフィルムを走行させ、前記貼り付けユニットを前進させて前記マスキングフィルムを前記製品フィルムに貼り付け、二層状又は三層状をなす前記製品フィルムとマスキングフィルムが前記マスキングロールを通過した時点で前記貼り付けロールの前記マスキングフィルムへの当接状態を解除し、前記貼り付けユニットにより製品フィルムにマスキングフィルムを貼り付けつつ走行させる方法であり、また、前記マスキングフィルムを前記フィードロールで増速させる方法であり、また、前記マスキングフィルムの送り速度が前記製品フィルムの生産速度付近に到達した時点で、前記貼り付けロールにより前記マスキングフィルムを前記製品フィルムに貼り付ける方法であり、また、前記マスキングフィルムが前記マスキングロールを通過した時点で前記フィードロールの送り速度を調整して前記マスキングフィルムの張力を制御し、前記マスキングフィルムのたるみを除去する方法であり、また、マスキングフィルムの貼付装置は、マスキングロールを介して所定速度で走行する製品フィルムの一面又は両面に対して、マスキングフィルム用送出機から送り出されたマスキングフィルムを貼り付けるようにしたマスキングフィルムの貼付装置において、前記マスキングフィルム用送出機からの前記マスキングフィルムをフィードロールを介して受けるための貼り付けユニットと、前記貼り付けユニットに設けられたしわ取りロール及び貼り付けロールと、を備え、前記フィードロールを経た前記マスキングフィルムが前記貼り付けユニットの前記しわ取りロールを経て前記貼り付けロールまで送られた状態で、前記フィードロールを駆動して前記マスキングフィルムを走行させ、前記貼り付けユニットを前進させて前記マスキングフィルムを前記製品フィルムに貼り付け、二層状又は三層状をなす前記製品フィルムとマスキングフィルムが前記マスキングロールを通過した時点で前記貼り付けロールの前記マスキングフィルムへの当接状態を解除し、前記貼り付けユニットにより製品フィルムにマスキングフィルムを貼り付けつつ走行させる構成である。
【発明の効果】
【０００５】
本発明によるマスキングフィルムの貼付方法及び装置は、以上のように構成されているため、次のような効果を得ることができる。
すなわち、マスキングロールを介して所定速度で走行する製品フィルムの一面又は両面に対して、マスキングフィルム用送出機から送り出されたマスキングフィルムを貼り付けるようにしたマスキングフィルムの貼付方法及び装置において、前記マスキングフィルム用送出機からの前記マスキングフィルムをフィードロールを介して受けるための貼り付けユニットと、前記貼り付けユニットに設けられたしわ取りロール及び貼り付けロールと、を用い、前記フィードロールを経た前記マスキングフィルムが前記貼り付けユニットの前記しわ取りロールを経て前記貼り付けロールまで送られた状態で、前記フィードロールを駆動して前記マスキングフィルムを走行させ、前記貼り付けユニットを前進させて前記マスキングフィルムを前記製品フィルムに貼り付け、二層状又は三層状をなす前記製品フィルムとマスキングフィルムが前記マスキングロールを通過した時点で前記貼り付けロールの前記マスキングフィルムへの当接状態を解除し、前記貼り付けユニットにより製品フィルムにマスキングフィルムを貼り付けつつ走行させることにより、装置を一切停止、あるいは、減速させることなく、製品フィルムにマスキングフィルムを貼り付けることが可能となり、安全に且つ簡単な作業が可能となる。
また、前記マスキングフィルムを前記フィードロールで増速させることにより、製品フィルムの速度に合わせたマスキングフィルムの貼り付けが可能となる。
また、前記マスキングフィルムの送り速度が前記製品フィルムの生産速度付近に到達した時点で、前記貼り付けロールにより前記マスキングフィルムを前記製品フィルムに貼り付けることにより、貼り付けが確実となる。
前記マスキングフィルムが前記マスキングロールを通過した時点で前記フィードロールの送り速度を調整して前記マスキングフィルムの張力を制御し、前記マスキングフィルムのたるみを除去することにより、貼り付け時のマスキングフィルムのたるみを除去し、高速で確実な貼り付けができる。
【発明を実施するための最良の形態】
【０００６】
本発明は、走行する製品フィルムに対し、マスキングフィルムを走行案内する貼り付けユニットを製品フィルム側に前進させ、この貼り付けユニットを介して前記マスキングフィルムを製品フィルムに貼り付けるようにしたマスキングフィルムの貼付方法及び装置を提供することを目的とする。
【実施例】
【０００７】
以下、図面と共に本発明によるマスキングフィルムの貼付方法及び装置の好適な実施の形態について説明する。なお、図面及び実施の形態は、製品フィルムの一面にマスキングフィルムを貼り合わせる構成で示している。
図１はマスキングフィルム用送出機１からのマスキングフィルム２をフィードロール３を介して貼り付けユニット４のしわ取りロール５及び貼り付けロール６に固定して待機するスタンバイ状態Ａを示しており、製品フィルム１０はガイドロール１１を介してマスキングロール１２により所定の速度で走行するように構成されている。
【０００８】
図２は、貼り付け準備Ｂを示し、前記フィードロール３を駆動してマスキングフィルム２の送りを開始して加速させ、同時に、貼り付けユニット４を製品フィルム１０側へ前進させる。
【０００９】
次に、図３は、貼り付け動作Ｃを示し、前記フィードロール３の送り速度をさらに増速し、製品フィルム１０の生産速度付近まで上げる。
前述のマスキングフィルム２の送り速度が製品フィルム１０の生産速度付近に達した時点で、貼り付けユニット４を製品フィルム１０側へさらに前進させ、貼り付けロール６を製品フィルム１０の一面に当接させることで貼り合わせる。
【００１０】
次に、図４は、生産運転Ｄを示し、製品フィルム１０に二層状に貼り付けられたマスキングフィルム２がマスキングロール１２を通過した時点で、貼り付けロール６を退避させ、正規のパスラインとする。
さらに、フィードロール３の送り速度を調整してマスキングフィルム２の張力を制御し、マスキングフィルム２のたるみを無くして定常生産運転とする。尚、前記貼り付けロール６の退避は、図示していないが、アクチュエータ等によって移動させるように構成することができる。
【００１１】
尚、前述の貼り付け動作を要約すると次の通りである。
マスキングロール１２を介して所定速度で走行する製品フィルム４の一面又は両面に対して、マスキングフィルム用送出機１から送り出されたマスキングフィルム２を貼り付けるようにしたマスキングフィルムの貼付方法において、前記マスキングフィルム用送出機１からの前記マスキングフィルム２をフィードロール３を介して受けるための貼り付けユニット４と、前記貼り付けユニット４に設けられたしわ取りロール５及び貼り付けロール６と、を用い、前記フィードロール３を経た前記マスキングフィルム２が前記貼り付けユニット４の前記しわ取りロール５を経て前記貼り付けロール６まで送られた状態で、前記フィードロール３を駆動して前記マスキングフィルム２を走行させ、前記貼り付けユニット４を前進させてマスキングフィルム２を前記製品フィルム１０に貼り付け、二層状又は三層状をなす前記製品フィルム１０とマスキングフィルム２が前記マスキングロール１２を通過した時点で前記貼り付けロール６の前記マスキングフィルム２への当接状態を解除し、前記貼り付けユニット４により製品フィルム１０にマスキングフィルム２を貼り付けつつ走行させるマスキングフィルムの貼付方法であり、また、前記マスキングフィルム２を停止状態から前記フィードロール３で増速させるマスキングフィルムの貼付方法であり、また、前記マスキングフィルム２の送り速度が前記製品フィルム１０の生産速度付近に到達した時点で、前記貼り付けロール６により前記マスキングフィルム２を前記製品フィルム１０に貼り付ける方法であり、さらに、前記マスキングフィルム２が前記マスキングロール１２を通過した時点で前記フィードロール３の送り速度を調整して前記マスキングフィルム２の張力を制御し、前記マスキングフィルム２のたるみを除去する方法である。
なお、同様な貼り付けユニット等の装置を複数台用意することで、製品フィルムの一面だけでなく両面にマスキングフィルムを貼り付けることが可能となる。
【図面の簡単な説明】
【００１２】
【図１】本発明によるマスキングフィルムの貼付方法及び装置のスタンバイ状態を示す構成図である。
【図２】図１の貼り付け準備状態を示す構成図である。
【図３】図１の貼り付け動作状態を示す構成図である。
【図４】図１の生産運転状態を示す構成図である。
【符号の説明】
【００１３】
１    マスキングフィルム用送出機
２    マスキングフィルム
３    フィードロール
４    貼り付けユニット
５    しわ取りロール
６    貼り付けロール
１０    製品フィルム
１１    ガイドロール
１２    マスキングロール
【図１】
2010111470.tif 000003
【図２】
2010111470.tif 000004
【図３】
2010111470.tif 000005
【図４】
2010111470.tif 000006